(57)【要約】    【課題】  測定操作が容易で、操作間違いが生じにくい携帯型の電圧測定装置を提供する。    【解決手段】  測定ユニット１１と、ケーブル１３で連結される記録計１２とからなる電圧測定装置１０。測定ユニット１１は略ピストル型の形態を有し、支持部１４の先端に接触端子２１、２２を備えている。グリップ１５の上部には測定した電圧を表示する電圧表示パネル２３および測定回数を表示する計数表示パネル２４を備えた表示装置１８が取りつけられ、グリップ１５の前側に、データを記録計１２の記憶装置に送る指示を出すトリガー１７（スイッチング部）が設けられている。測定ユニット１１の内部には、測定部および制御部が設けられている。【選択図】  図１
2005164417.tif 000002
【特許請求の範囲】
【請求項１】
測定対象に接触させる一対の接触端子と、接触端子間の電圧を測定する測定部と、その測定部によって測定された電圧を表示する表示部と、前記電圧のデータを記録する記憶手段と、測定された電圧を記憶手段に送るためのスイッチング部と、このスイッチング部の操作に応じて前記測定部および記憶手段の働きを制御する制御部とを備え、少なくとも前記接触端子、表示部およびスイッチング部が手で保持できる一体のユニットとして構成されている携帯型の電圧測定装置。
【請求項２】
前記ユニットが、先端に前記接触端子を備えた支持部と、この支持部に取り付けたグリップと、このグリップを握った状態で指で操作できるスイッチング部と、前記支持部に設けた表示部とを備えている請求項１記載の携帯型の電圧測定装置。
【請求項３】
基準電圧範囲を設定する手段と、この基準電圧範囲と前記測定部で測定された電圧とを比較する手段と、測定された電圧があらかじめ設定された基準電圧範囲を逸脱している場合に警告するための警告手段とを備えている請求項１または２記載の携帯型の電圧測定装置。
【請求項４】
測定回数をカウントして計測数信号を出す手段と、その計測数信号に基づいて計測数を表示する測定回数を表示する計測数表示部とをさらに備えている請求項１〜３のいずれかに記載の携帯型の電圧測定装置。  
【請求項５】
前記記憶手段が、前記ユニットとケーブルで接続された記録計に設けられている請求項１〜４のいずれかに記載の携帯型の電圧測定装置。
【発明の詳細な説明】
【技術分野】
【０００１】
本発明は携帯型の電圧測定装置に関する。さらに詳しくは、多数の電解槽からなるイオン交換膜法食塩電解装置の電解槽電圧の測定など、多数の測定部位を効率よく測定する場合に好適に用いられる携帯型の電圧測定装置に関する。
【背景技術】
【０００２】
食塩水を電気分解して塩素、水素および水酸化ナトリウムを製造する方法の一つとしてイオン交換膜法が知られている。
イオン交換膜法の食塩電解槽では、通常、陽極室と陰極室とをナトリウムイオンのみを通過させる陽イオン交換膜で仕切り、陽極と陰極との間に所定の直流電圧を印加して陽極室で塩素を発生させる一方、陰極室で水素と水酸化ナトリウムとを発生させている。
電解槽の消費電力の良否を把握するために電極間電圧、すなわち電解槽電圧を測定する必要がある。
【０００３】
一方、かかるイオン交換膜法による食塩電解槽においてはイオン交換膜にピンホールが発生することがあるが、これを放置するとピンホールが拡大し、ついにはイオン交換膜が破壊されて両電極が電気的短絡状態となり、操業を停止せざるをえない事態に陥るおそれがある。したがって、イオン交換膜法ではかかるピンホールの発生をできるだけ早期に検出する必要がある。
【０００４】
一般にイオン交換膜法による電解槽において、イオン交換膜にピンホールが発生すると、イオン交換膜をはさんで配置される陽極と陰極との間の電圧、すなわち電解槽電圧が若干低下する現象が生じる。そこで、イオン交換膜法による電解槽では、電解槽電圧を測定し、その測定結果に基づいてピンホールの発生の有無を判定するようにしている。
【０００５】
特許文献１には、多数の食塩電解槽を直列に組み込んだ食塩電解装置（複極式食塩電解装置）の例が示されているが、すべての電解槽電圧を頻繁に測定するのは非常に手間がかかるという実情に鑑み、電解槽から離れた統合計器室から、ネットワークを介して遠隔制御で各電解槽の電圧を測定できるように構成している。この測定装置によれば、効率的に電圧を測定できるが、設備が大がかりになり、設備の設置コストおよびランニングコストが高くなる。
【０００６】
特許文献２には、電圧測定部と、複数個の測定端子と、表示部とを備えた、電子回路基板などにおける複数カ所の端子間電気抵抗を測定する携帯型抵抗計が開示されている。このものは端子を測定個所に当てると直ちに電流が流れ、端子間電圧を測定すると共に、電流値と測定した電圧から、測定対象の電気抵抗を検出することができる。それにより、プルアップ抵抗やプルダウン抵抗の抵抗値および短絡の有無などを検出することができる。
【０００７】
このものは設置コストおよびランニングコストが安価であり、測定対象に近くに持っていくことが容易である。しかし、端子を測定対象に当てた時点の電圧を測定するので、正確に、かつ、所定の当接圧力で測定対象に当てる必要がある。そのため、測定に熟練を要する。
【０００８】
一方、図５に示すような電圧が測定可能な記録計１００が市販されている。この記録計１００は、装置本体１０１と、それにケーブル１０２で連結された接触端子１０４が設けられている。装置本体１０１には、測定した電圧を表示する表示装置１０５および測定するタイミングを指定する検出ボタン１０６および測定対象の番号を選択する番号選択ボタン１０７あるいは番号を入力する数字キー１０７ａが設けられている。
【０００９】
この装置で図６に示す電解装置１０８における隣接する電解槽の端子１０９間の電圧を測定する場合、片手で接触端子１０４を隣接する２個の端子１０９に押し当てながら、反対側の手で保持した装置本体１０１の検出ボタン１０６をその手の指で押す。そして装置本体１０１の表示装置１０５で測定した電圧や測定対象の番号を確認する。
【００１０】
前記記録計１００は設置コストおよびランニングコストも低く、さらに持ち運びが容易であるという利点がある。しかしながら、装置本体１０１に基本的な操作ボタンが集中しているので、接触端子１０４の操作と装置本体１０１の操作の両方に注意力が必要である。また、たとえば右側の接触端子１０４を押し当てた測定対象の端子１０９は、次の測定の時に左側の接触端子１０４を押し当てることになるので、一対の端子１０９を２回測定したり、逆にとばしたりする操作の間違いが生じやすい。しかも、このような間違いを発見し、再測定した場合には、測定対象を示す番号を訂正しなければならないため、取り扱いが煩雑である。
【００１１】
【特許文献１】特開平７−２４３０７９号公報
【特許文献２】実開平５−１１０７１号公報
【発明の開示】
【発明が解決しようとする課題】
【００１２】
本発明は、測定操作が容易で、操作間違いが生じにくい携帯型の電圧測定装置を提供することを課題とする。
【課題を解決するための手段】
【００１３】
本発明の携帯型の電圧測定装置は、測定対象に接触させる一対の接触端子と、接触端子間の電圧を測定する測定部と、その測定部によって測定された電圧を表示する表示部と、前記電圧のデータを記録する記憶手段と、測定された電圧を記憶手段に送るためのスイッチング部と、このスイッチング部の操作に応じて前記測定部および記憶手段の働きを制御する制御部とを備え、少なくとも前記接触端子、表示部およびスイッチング部が手で保持できる一体のユニットとして構成されていることを特徴としている（請求項１）。
【００１４】
前記ユニットは、先端に前記接触端子を備えた支持部と、この支持部に取り付けたグリップと、このグリップを握った状態で指で操作できるスイッチング部と、前記支持部に設けた表示部とを備えているのが好ましい（請求項２）。
【００１５】
上記の電圧測定装置においては、基準電圧範囲を設定する手段と、この基準電圧範囲と前記測定部で測定された電圧とを比較する手段と、測定された電圧があらかじめ設定された基準電圧範囲を逸脱している場合に警告するための警告手段とを備えているのが好ましい（請求項３）。
【００１６】
さらに上記の電圧測定装置においては、測定回数をカウントして計測数信号を出す手段と、その計測数信号に基づいて計測数を表示する測定回数を表示する計測数表示部をさらに備えている電圧測定装置が好ましい（請求項４）。
【００１７】
前記記憶手段は、前記ユニットとケーブルで接続された記録計に設けてもよい（請求項５）。
【発明の効果】
【００１８】
請求項１の電圧測定装置によれば、接触端子を備えたユニットに表示部を一体に設けているので、接触端子を測定対象に押し当てる操作に集中しながら、表示部を容易に確認することができる。さらにスイッチング部も一体で設けているので、正確に押し当てたことを確かめた上で、スイッチング部を操作して測定を開始すればよく、その状態で表示部を確認して操作を終了すればよい。従って、多数の端子を順に測定していく場合でも、一対の端子に接触端子を押し当てた状態で、測定を開始し、電圧を確認して測定を終了することができ、測定終了後に次の一対の端子に移動することができる。そのため、測定操作が容易で、測定間違いが少ないという効果がある。
【００１９】
請求項２の電圧測定装置によれば、グリップを握った状態で、スイッチング部を操作して測定の開始・終了を行うことができる。そのため、接触端子と測定対象の端子との接触不良が少なくなり、接触端子と表示部を確認しながら測定する作業が一層容易に、かつ確実になる。
【００２０】
請求項３の電圧測定装置によれば、たとえばイオン交換膜にピンホールがあるなど、測定対象の欠陥を直ちに認識することができる。また、警告が表示されたときに再測定すれば、接触不良や操作間違いに起因して電圧が基準電圧範囲から逸脱している場合の誤認を少なくすることができる。
【００２１】
請求項４の装置によれば、測定対象にあらかじめ番号を付しておけば、測定対象の番号と測定回数とを確認することが容易であるため、データと測定対象とがずれる間違いが少なくなる。
【００２２】
請求項５の装置によれば、ユニットを軽量に維持しながら記憶量を多くすることが容易である。さらに記録計とコンピュータとのケーブルを用いた接続や、無線の接続も容易である。
【発明を実施するための最良の形態】
【００２３】
つぎに図面を参照しながら本発明の実施の形態を説明する。図１は本発明の携帯型の電圧測定装置の一実施形態を示す概略斜視図である。この電圧測定装置は、ピストル型の測定ユニット１１と、平坦な直方体状の記録計１２と、両者を連結するケーブル１３とから構成されている。測定ユニット１１は、支持部１４と、その支持部の後端に設けられたグリップ１５とからなる構造駆体１６と、グリップ１５を握った状態で指で引く操作が可能なトリガー１７とを備えている。この実施形態では、トリガー１７は押しボタンスイッチにより構成されており、スイッチング部を構成している。さらに支持部１４には、表示装置１８が取り付けられている。
【００２４】
前記支持部１４の前端は二股に分かれており、それぞれの分かれた部分１４ａの先端に、接触端子２１、２２が前方に突出して設けられている。なお、先端側は二股に分けなくてもよく、幅を広くした先端に一対の接触端子を間隔をあけて設けてもよい。ただし二股にしておくと、その間から下側の測定対象の記号、例えば電解槽の番号を見やすくなる場合があるという利点がある。また、測定対象によっては、接触端子２１、２２を上向きあるいは下向きに突出させてもよい。さらに左右に突出するようにしてもよい。２１、２２はバネ等により接触圧を吸収できる構造とし被測定端への接触を確実なものにし、確実な測定を可能としている。
【００２５】
この実施形態では、前記表示部１８は平坦な直方体状の形態を備えており、その手前側の面に電圧表示パネル２３と計測数表示パネル２４とが設けられている。そして電圧表示パネル２３の上部にアラームランプ２５が設けられている。なお、符号２６はリセットスイッチであり、アラームランプ２５の表示を消すためのものである。符号２７は電源スイッチである。
【００２６】
前記記録計１２には表示パネル２８が設けられている。この表示パネル２８は測定ユニット１１の電圧表示パネル２３や計測数表示パネル２４と同様の内容を表示するものである。アラームランプ２５の点滅を表示するようにしてもよい。ただし表示パネル２８は省略することもできる。記録計１２には、記憶装置（記憶手段。図３の符号３２参照）が内蔵されている。記憶装置としては、ハードディスク、ＦＤ、ＭＯ、ＤＶＤなどの容量が大きいものが好ましい。なお、従来の記録計と同様に、記録計１２に最高電圧や最低電圧を設定するための数字キー（テンキー）やボリュームダイヤルを設けたり、その他の操作キーや操作ボタンなどの入力手段を設けてもよい。
【００２７】
図２は前述の測定ユニット１１の側面図である。グリップ１５の下面には、ケーブル１３の一端を連結するためのコネクタ２９が設けられている。なお、図１の記録計１２の側面にも、同様のコネクタ（図１の符号２９）が設けられている。表示装置１８は、ブラケット３０で駆体１６に取り付けられている。他の部位は図１の場合と実質的に同じであるので、同じ部位に同じ符号を付して説明を省略する。
【００２８】
図３は図１の測定装置における測定ユニット１１内の制御ブロック図である。図３の符号３１は配線用の基板であり、その基板３１には接触端子２１、２２からの電圧信号を取り入れる測定部３４が設けられている。測定部３４の出力信号は電圧表示部３５に送り出される。電圧表示部３５は前述の電圧表示パネル２３などによって構成することができる。接触端子２１、２２の信号あるいは測定部３４の出力信号は、記録計の記憶装置３２に送られる。前記基板３１には、さらにスイッチング部３６からの信号に基づいて、記憶装置３２に電圧信号のデータを取り込む信号を出す制御部３７が設けられている。スイッチング部３６としては図１のトリガー１７（押しボタンスイッチ）などのスイッチが採用される。ただし他の入力手段であってもよい。制御部３７には、測定回数をカウントするカウンタが設けられ、そのカウンタの出力信号は計測数表示部３８に送られる。計数表示部３８としては、図１の計数表示パネル２４などが採用される。
【００２９】
前記測定部３４には、基準電圧範囲の上限および下限を設定するボリュームあるいはメモリと、測定電圧と設定電圧を比較する回路と、測定電圧が上限を超えたとき、あるいは下限より低い場合にアラーム信号を出す回路が設けられている。アラーム信号を出す回路は図１の表示部１８のアラームランプ２５に接続されている。アラームランプ２５に代えて、あるいはアラームランプと一緒に、アラームブザー、アラーム表示など、各種の警告手段を採用することもできる。基板３１は通常は図１の構造駆体１６内に、とくにグリップ１５内に収容する。ただし表示部１８のケース内に収容することもできる。なお、表示部１８を構造駆体１６と一体化し、支持部１４の上面などに小型の表示パネルを設けることもできる。
【００３０】
図３の符号３９は記憶装置３５に保存されたデータを送るコンピュータのＣＰＵである。記憶装置３２には、測定対象の番号と、その測定対象の電圧データの組が、測定順に保存されており、それらのデータはオンラインないしオフラインでコンピュータのＣＰＵ３９に送られ、例えば電解装置全体の性能やメンテナンスの資料などに用いられる。
【００３１】
図４は図１の電圧測定装置で端子間電圧を測定する手順を示すフローチャートである。はじめに接触端子２１、２２を測定対象の一対の端子に接触ないし嵌合させる（第１ステップＳ１）。それにより測定電圧が取り込まれ、電圧表示パネル２３に電圧が表示される。ついで取り込まれた測定電圧と基準電圧とが比較される（第２ステップＳ２）。そして図１のトリガー１７を引く操作（実際には押しボタンを押し込む操作）をした時点で、両者の差が算出され、その差が基準範囲内か、基準範囲外かが判断される（第３ステップＳ３）。そして範囲内の場合は、計測数のカウントがアップされ（第４ステップＳ４）、計数表示パネル２４に測定対象番号が表示される。ついで測定データが測定対象の番号と共に記録計１２に送られ、測定器記録が行われ（第５ステップＳ５）、測定が完了する。そして次の測定対象の測定に移行する。
【００３２】
前記第３ステップＳ３で基準範囲外と判断されたときは、アラーム信号が出され、アラームランプ２５が点灯する（第６ステップＳ６）。このときはアラームランプをリセットし（第７ステップＳ７）、再度測定を行う（第８ステップＳ８）。この再度の測定は何度か繰り返して行うこともでき、何れも基準範囲外である場合は、基準範囲を変更して基準内としてカウントアップされ、第４ステップＳ４、測定機器録の第５ステップＳ５に進み、測定対象の番号と共に、測定した電圧のデータが記録される。なお、定めた回数を測定後、カウントアップされ、記録されるようにすることもできる。
【００３３】
上記の測定手順は図５の記録計（図５の符号１００参照）を用いる場合と基本的に変わらない。しかし従来の装置では、装置本体１０１および接触端子１０４が操作したり表示を確認する対象であるのに対し、図１の電圧測定装置では、ピストル型の測定ユニット１１が操作したり確認する対象であり、これに外部の記録計１２が連結されているという位置づけになる。そのため、図１の電圧測定装置は、測定ユニット１１だけで操作および確認が完了するので、取り扱いが容易になる。
【００３４】
図３のブロック図および図４のフローチャートでは、スイッチング部３６の操作は制御部３７を介して測定部３４から記憶装置３２へデータを送るタイミングを定める働きがある。しかしスイッチング部３６の操作で接触端子２１、２２から測定部３４へデータを取り込むようにしてもよい。ただし前者の方が、電圧表示部で電圧が安定して表示されていることを確認した後に記憶装置に送ることができるので、好ましい。
【図面の簡単な説明】
【００３５】
【図１】本発明の携帯型の電圧測定装置の一実施形態を示す概略斜視図である。
【図２】測定ユニット１１の側面図である。
【図３】図１の測定装置における測定ユニット１１内の制御ブロック図である。
【図４】図１の電圧測定装置で端子間電圧を測定する手順を示すフローチャートである。
【図５】従来の測定装置の一例を示す斜視図である。
【図６】図５の測定装置の使用状態を示す斜視図である。
【符号の説明】
【００３６】
１１：測定ユニット、１２：記録計、１３：ケーブル、１４：支持部、１４ａ：分かれた部分、１５：グリップ、１６：構造駆体、１７：トリガー、１８：表示装置、２１、２２：接触端子、２３：電圧表示パネル、２４：計数表示パネル、２５：アラームランプ、２６：リセットスイッチ、２８：表示パネル、２９：コネクタ、３２：記憶装置、３３：基板、３４：測定部、３５：電圧表示部、３６：スイッチング部、３７：制御部、３８：計数表示部、３９：ＣＰＵ
【図１】
2005164417.tif 000003
【図２】
2005164417.tif 000004
【図３】
2005164417.tif 000005
【図４】
2005164417.tif 000006
【図５】
2005164417.tif 000007
【図６】
2005164417.tif 000008